(57)【要約】【課題】編地に備わる筒状編成部の閉口端側を補強するために、閉口端側で各編目の間隔が詰むように編成することができる選針ドラムを備える横編機、および、この横編機で編成された筒状編成部を備える編地を提供する。【解決手段】横編機に備わる選針ドラムは、編み出し編成突起部と、針抜き編成突起部と、漸増編成突起部とを有する。縦軸１番ラインの選針ピンが編み出し編成突起部、縦軸２番ラインと３番ラインの選針ピンがそれぞれ針抜き編成突起部、縦軸４番〜７番ラインの選針ピンがそれぞれ漸増編成突起部である。この横編機を使用すれば、筒状編成部における閉口端側で各編目の間隔が詰んだ編地を編成できる。【選択図】図１
2010133070.tif 000002
【特許請求の範囲】
【請求項１】
前後一対の針床と、各針床に対応する一対の選針ドラムとを備え、これら選針ドラムの周方向に並列される突起部により針床に列設される複数の編針の一部を選針して、一端が閉口し、他端が開口する筒状編成部を有する編地を編成する横編機であって、
選針ドラムは、
筒状編成部の閉口端となる編み出し部の編幅に相当する編針を選針する編み出し編成突起部と、
前記編み出し編成突起部に対して選針ドラムの周方向に隣接して複数並列され、編み出し部の編幅内で編針を選針する針抜き編成突起部と、
前記針抜き編成突起部に対して選針ドラムの周方向に隣接して複数並列され、編み出し部の編幅よりも小さい編幅から順次編幅が大きくなるように編針を選針する漸増編成突起部と、
を備え、
編み出し編成突起部から数えて１番目の針抜き編成突起部は、ｎ本置きの編針を選針し、残りの針抜き編成突起部は、１番目の針抜き編成突起部で選針されなかった編針を選針することを特徴とする横編機。
但し、ｎは１以上の整数。
【請求項２】
前記針抜き編成突起部は、前記選針ドラムの周方向に隣接してｎ＋１個並列されており、
前記編み出し編成突起部から数えてｍ＋１番目の針抜き編成突起部は、ｍ番目の針抜き編成突起部で選針されなかった編針を選針することを特徴とする請求項１に記載の横編機。
但し、ｍは、ｎ以下で１以上の整数。
【請求項３】
ｎは１であることを特徴とする請求項２に記載の横編機。
【請求項４】
前記選針ドラムは、その表面に前記選針ドラムの軸方向に沿って伸び、周方向に並列される複数の嵌合溝と、この嵌合溝に嵌め込まれる選針ピンとを備え、
前記編み出し編成突起部および漸増編成突起部は、編幅分の選針を一括して行う１本の選針ピン、または複数の選針ピンの連結体で構成され、
前記針抜き編成突起部は、編針１本分の選針を行う選針ピンの集合体で構成されることを特徴とする請求項１〜３のいずれか一項に記載の横編機。
【請求項５】
一端が閉口し、他端が開口しており、閉口端側から編み出された前後の編地部を有する筒状編成部を備える編地であって、
筒状編成部は、
前後の編地部を繋ぐと共に、前後の編地部を形成する基端となる疑似編目列と、少なくとも前後一方の編地部側における疑似編目列の各疑似編目に続く新たな編目からなる始端編目列とで構成される編み出し部と、
前記開口端側に並ぶ前記編み出し部の端部の編目列におけるｎ個置きの編目に続く新たな編目からなる１コース目の編目列と、１コース目の編目列が形成されていない前記端部の編目列の編目に続く新たな編目からなる１コース以上の編目列とからなる針抜き編成部と、
前記開口端側に向かって、前記針抜き編成部の編目列に続く複数コースの編目列からなり、閉口端側から開口端側に向かって編目列の編幅が漸増する編幅増加部と、
を備えることを特徴とする筒状編成部を備える編地。
但し、ｎは１以上の整数。
【請求項６】
前記針抜き編成部は、ｎ＋１コースの編目列からなることを特徴とする請求項５に記載の筒状編成部を備える編地。
但し、ｎは１。
【請求項７】
前後の編地部がパイル編地であることを特徴とする請求項５または６に記載の筒状編成部を備える編地。
【発明の詳細な説明】
【技術分野】
【０００１】
本発明は、一端が閉口し、他端が開口しており、閉口端側から編み出された前後の編地部を有する筒状編成部を備える編地、および、その編地を編成することができる選針ドラムを備える横編機に関する。
【背景技術】
【０００２】
少なくとも前後一対の針床を備え、この針床に列設される編針の選針に選針ドラムを使用する横編機として、例えば、特許文献１や特許文献２に記載のものが知られている。特許文献１の横編機は、選針ドラムの軸方向に伸び、周方向に並列される突起部により編針を選針する。また、特許文献２の横編機は、選針ドラムの周方向に伸びるカムプレートのカム部により編針を選針する。
【０００３】
これら特許文献の横編機で指袋（筒状編成部）を有する手袋（編地）を編成すると、編み出し部として前後の針床に交互に掛け目が形成され、この掛け目を足掛かりにして指袋の前後の編地部が編成される（例えば、特許文献３の図２〜図５を参照）。前後の編地部は、編成コースが変わる毎に編幅が大きくなるように編成され、その結果、指先部が丸みを帯びた指袋が編成される。なお、前後の針床に形成された掛け目は、完成した編地において不完全な編目のため、この掛け目に由来する部分を疑似編目と称する。
【０００４】
【特許文献１】特開２００７−１２６７８１号公報
【特許文献２】特開平１０−７７５５７号公報
【特許文献３】実公昭３８−６７７６号公報
【発明の開示】
【発明が解決しようとする課題】
【０００５】
上記従来の選針ドラムを備える横編機で編成した筒状編成部を有する編地では以下に示すような問題点があった。
【０００６】
筒状編成部の閉口端近傍には、疑似編目列もあり、詰んだ編目にはなっておらず、編地の使用時における摩擦などにより擦り切れたりして傷み易い。また、編地を使用する際、疑似編目列は前後の編地部の境界であるため、疑似編目列を構成する編糸が、前後の編地部に引っ張られることによって傷む虞がある。
【０００７】
本発明は、上記事情に鑑みてなされたものであり、その目的は、編地に備わる筒状編成部の閉口端側を補強するために、閉口端側で各編目の間隔が詰むように編成することができる選針ドラムを備えた横編機、および、この横編機で編成された筒状編成部を備える編地を提供することにある。
【課題を解決するための手段】
【０００８】
本発明は、前後一対の針床と、各針床に対応する一対の選針ドラムとを備え、これら選針ドラムの周方向に並列される突起部により針床に列設される複数の編針の一部を選針して、一端が閉口し、他端が開口する筒状編成部を有する編地を編成する横編機に係る。この横編機に備わる選針ドラムは、編み出し突起部と、針抜き編成突起部と、漸増編成突起部と、を備えることを特徴とする。編み出し編成突起部は、筒状編成部の閉口端となる編み出し部の編幅に相当する編針を選針する。針抜き編成突起部は、編み出し編成突起部に対して選針ドラムの周方向に隣接して複数並列され、編み出し部の編幅内で編針を選針する。漸増編成突起部は、針抜き編成突起部に対して選針ドラムの周方向に隣接して複数並列され、編み出し部の編幅よりも小さい編幅から順次編幅が大きくなるように編針を選針する。そして、編み出し編成突起部から数えて１番目の針抜き編成突起部は、ｎ（ｎは１以上の整数）本置きの編針を選針し、残りの針抜き編成突起部は、１番目の針抜き編成突起部で選針されなかった編針を選針する。
【０００９】
本発明横編機の一形態として、針抜き編成突起部は、選針ドラムの周方向にｎ＋１個並列されていても良い。この場合、編み出し編成突起部から数えてｍ＋１（ｍは、ｎ以下で１以上の整数）番目の針抜き編成突起部は、ｍ番目の針抜き編成突起部で選針されなかった編針を選針する。特に、ｎは１であることが好ましい。
【００１０】
本発明横編機の一形態として、選針ドラムは、その表面に前記選針ドラムの軸方向に沿って伸び、周方向に並列される複数の嵌合溝と、この嵌合溝に嵌め込まれる選針ピンとを備える構成とすることができる。この場合、編み出し編成突起部および漸増編成突起部を、複数本の選針を一括して行う１本の選針ピン、または複数の選針ピンの連結体で構成すると共に、針抜き編成突起部を、編針１本の選針を行う選針ピンの集合体で構成する。
【００１１】
一方、本発明編地は、一端が閉口し、他端が開口しており、閉口端側から編み出された前後の編地部を有する筒状編成部を備え、筒状編成部は、編み出し部と、針抜き編成部と、編幅増加部と、を備えることを特徴とする。編み出し部は、前後の編地部を繋ぐと共に、前後の編地部を形成する基端となる疑似編目列と、少なくとも前後一方の編地部側における疑似編目列の各疑似編目に続く新たな編目からなる始端編目列とで構成される。針抜き編成部は、前記開口端側に並ぶ前記編み出し部の端部の編目列におけるｎ（但し、ｎは１以上の整数）個置きの編目に続く新たな編目からなる１コース目の編目列と、１コース目の編目列が形成されていない前記端部の編目列の編目に続く新たな編目からなる１コース以上の編目列とからなる。そして、編幅増加部は、前記開口端側に向かって、前記針抜き編成部の編目列に続く複数コースの編目列からなり、閉口端側から開口端側に向かって編目列の編幅が漸増する構成を備える。
【００１２】
本発明編地の一形態として、前記針抜き編成部は、ｎ＋１コースの編目列からなることが好ましい。特に、ｎは１であることが好ましい。
【００１３】
本発明編地の一形態として、筒状編成部における前後の編地部はパイル編地であることが好ましい。パイル編地は、公知の編成技術により編成できる。例えば、特公昭６０−５９３３３号公報に記載のように、編地部のベースとなる地糸を給糸する給糸口と、編地部のパイル部分となるパイル編糸を給糸する給糸口とを同時に動作させて編成すれば良い。
【発明の効果】
【００１４】
本発明選針ドラムを備える横編機によれば、編み出し部と、針抜き編成部と、編幅増加部と、を有する筒状編成部を備える本発明編地を編成できる。この編地によれば、針抜き編成部において、ミス編成を織りまぜて編成された各編目列における編目の間隔が詰まるし、任意の編目列の編目に重なるように他の編目列のミス糸が配置されるので、筒状編成部の閉口端が補強される。
【００１５】
また、針抜き編成突起部をｎ＋１個設けるようにすれば、ｎ＋１コースの編目列からなる針抜き編成部を有する筒状編成部を備える編地を編成できる。その結果、筒状編成部の閉口端近傍で各編目の間隔が詰み、見栄えも強度も優れた筒状編成部を備える編地となる。特に、ｎが１の場合、針抜き編成部は、２コースの編目列で構成されると共に、１コース目の編目列の隣接する編目間に、２コース目の編目列の各編目が配置され、見栄えと強度に最も優れた筒状編成部となる。
【００１６】
さらに、本発明編地では、前後の編地部をパイル編地としても、パイル編成されていない疑似編目列が目立ち難い。通常、前後の編地部をパイル編地とすると、疑似編目列はパイル編成できないため目立つ。しかし、本発明編地では、閉口端近傍の各パイル編目の間隔が詰むので、疑似編目列が目立ち難い。
【発明を実施するための最良の形態】
【００１７】
以下、５本の指袋（筒状編成部）を備える手袋（編地）の編成を例にして、本発明の実施形態を説明する。この実施形態では、前後の針床に列設される編針を選針ドラムにより選針する横編機を使用した。
【００１８】
選針ドラムは、前後の針床のそれぞれに対して１つずつ設けられる。選針ドラムの外周面には、選針ドラムの軸方向に沿って伸びる複数の嵌合溝が選針ドラムの周方向に並列されている。そして、各嵌合溝には選針ピンが嵌め込まれており、この選針ピン（突起部）によって編針の選針を行う。なお、選針ドラムに形成される嵌合溝の数は、編成する編地の形態に従って適宜変更することができる。嵌合溝の数を増減する場合、その数に応じて選針ドラムの径を変更しても良い。
【００１９】
図１は、前針床に対応した選針ピンの配置を示す選針ドラムの展開図である。なお、後針床に対応した選針ドラムの展開図は示さないが、その選針ピンの配置状態は、図１を上下に線対称にしたものである。但し、人の指の形状に合わせて前後の編地部で必要とされる編幅が異なるので、一部の選針ピンの長さが図１と異なる。
【００２０】
図１の左右端で縦軸に示される数字は、選針ドラムに形成される嵌合溝（ライン）に対応し、上下端で横軸に示される数字は、選針される編針の位置に対応している。手袋を編成する際は、１番ラインに配される選針ピンから順番に使用される。１番〜８番ラインは小指指袋の編成に対応し、以下、９番〜１７番ラインは薬指指袋の編成、１８番〜２６番ラインは中指指袋の編成、２７番〜３４番ラインは人差指指袋の編成、３５番・３６番ラインは４本胴の編成、３７番〜４５番ラインは親指指袋の編成、４６番ラインはゴム糸を含む編糸を用いた５本胴の編成、４７番ラインは使用しないゴム糸の給糸口を編幅外に移動させる空コースの編成、４８番ラインは手の挿入口の編成に対応する。各ラインの選針ピンの横に示される四角で囲まれた数値は、そのラインで選針される編針の数を示す。
【００２１】
親指指袋を除く各指袋の編成に対応した選針ピンにおいて、番号の最も小さなラインの選針ピンは編み出し編成突起部、続く２つのラインの選針ピンは針抜き編成突起部、番号の最も大きなラインを除く残りのラインの選針ピンは漸増編成突起部である。親指指袋に対応した選針ピンでは、３７番ラインの選針ピンが編み出し編成突起部、３８番・３９番ラインの選針ピンが針抜き編成突起部、４０〜４３番ラインの選針ピンが漸増編成突起部、４４番の選針ピンが股重ね用の突起部である。針抜き編成突起部を構成する選針ピンは、１本の編針を選針するだけの幅を有する短尺材であり、他の突起部を構成する選針ピンは、複数の編針を一括して選針する長尺材である。なお、長尺の選針ピンに代えて複数の選針ピンを連結した構成としても良い。
【００２２】
ここで、比較のため、従来の選針ピンの配置を図３に示す。図３の見方は、図１と同様である。従来品である図３と本実施形態に係る図１とを比較すると、図３の選針ドラムには、図１の選針ドラムにおける針抜き編成突起部に相当するものがなく、編み出し編成突起部と漸増編成突起部だけが設けられている。
【００２３】
次に、上述した選針ドラムを使用して行われる実際の編成手順について、小指指袋を例にして説明する。図２は、小指指袋の編成手順を示す編成工程図であって、左欄の数字はキャリッジの１回の往復を１単位とする編成工程数（以下、Ｓ＋数字で表す）を、右欄の矢印はキャリッジの移動方向を示す。また、図２の中欄は、各編成工程における編目の形成状態を示し、上下に対向して並列される黒丸のうち下側に並ぶものが前針床の編針、上側に並ぶものが後針床の編針である。
【００２４】
まず、図１の１番ラインの選針ピン（編み出し編成突起部）により、小指指袋の編幅分の編針を選針する。そして、Ｓ１の往路編成で前後の針床の編針に交互に掛け目を形成し、Ｓ１の復路編成で往路編成により前針床に形成された全ての掛け目に続く新たな編目（始端編目）を形成する。往路編成により形成される掛け目は、小指指袋の前後の編地部を形成する基端であり、針床から外れたときに、前後の編地部を繋ぐ疑似編目列となる。また、復路編成により形成される始端編目からなる始端編目列は、出来上がる指袋の見栄えを向上させる。もちろん、始端編目列は、後針床で形成しても良いし、前後両方の針床で形成しても良い。
【００２５】
次に、選針ドラムを回転させ、１番ラインの選針ピンから２番ラインの選針ピン（針抜き編成突起部）に切り換え、Ｓ２の往復編成を行う。このＳ２の編成により、後針床において疑似編目列の１つ置きの疑似編目に続く新たな編目が形成され、前針床において始端編目列の１つ置きの始端編目に続く新たな編目が形成される。
【００２６】
さらに、２番ラインの選針ピンから３番ラインの選針ピン（針抜き編成突起部）に切り換え、Ｓ３の往復編成を行う。このＳ３の編成により、後針床においてＳ２の編成で編目の形成を行わなかった疑似編目に続く新たな編目が形成され、前針床においてＳ２の編成で編目の形成を行わなかった始端編目に続く新たな編目が形成される。これらＳ２・Ｓ３の編成により、針抜き編成部が形成される。
【００２７】
次いで、Ｓ４〜Ｓ７に示す往復編成を行う。Ｓ４〜Ｓ７の編成は、図１における４〜７番ラインの選針ピン（漸増編成突起部）により選針された編針を使用して編成される。これらＳ４〜Ｓ７の編成は、それぞれ複数回行っても良く、その場合、選針ドラムを回転させずにキャリッジを動かして編成を行う。これらＳ４〜Ｓ７の編成により、小指指袋において編成コース数が進むに従い編目列の編幅が漸増する編幅増加部が形成される。
【００２８】
以降、必要とされる小指指袋の長さ分だけＳ７に示す往復編成を行って、最後に、カミソリ（ｓｔｉｔｃｈ  ｈｏｌｄｅｒ）の使用のため、Ｓ８に示す往復編成を行う。Ｓ８の編成は、図１の８番ラインの選針ピンを使用して選針された編針で行う。
【００２９】
なお、８番ラインと９番ラインのような編幅が重なっている部分では、カミソリ（例えば、特開２０００−２２００６４号公報を参照）を使用し、編目を抑えつつ編成を行えば良い。
【００３０】
小指指袋の編成が終了したら、順次、選針ドラムを順回転させて図１に示すラインを切り換えることで、薬指指袋・中指指袋・人差指指袋・四本胴・親指指袋・五本胴・挿入口の順に編成する。これら指袋と胴の編成は、既に説明した小指指袋の編成と同様に、各ラインの選針ピンにより選針された編針により行われる。
【００３１】
以上説明した各指袋は、その閉口端側に形成される針抜き編成部を有することを特徴とし、この針抜き編成部の各編目は、編み出し部の１個置きの編目に続いて新たに形成されるため、間隔が詰まった状態になる。また、この針抜き編成部に続く編幅増加部における各編目の間隔も詰まる。その結果、指袋の閉口端における厚みが増すと共に、編糸の伸びも少なくなるので、当該部分が補強される。また、針抜き編成において、ニット目に重なるようにミス糸が配置されることによっても、指袋の閉口端が補強される。
【００３２】
その他、作業用手袋などでは、その指先部分をコーティング剤に浸漬することがあるが、従来は、手袋の内側にまでコーティング剤が浸透して、手袋の着用感を損なうことがあった。これに対して、この実施形態の手袋では、指袋の先端付近の編目間隔が詰まっているため、コーティング剤の浸透を抑制できる。
【００３３】
＜その他の実施形態＞
図２で示したＳ２とＳ３の編成を複数回繰り返しても良い。例えば、Ｓ１→Ｓ２→Ｓ３→Ｓ２→Ｓ３→Ｓ４（Ｓ４以降は図２と同じ）の順で編成する。このような編成を行うには、図１に示す３番ラインと４番ラインの間に、２番ラインと３番ラインと同じ配置の選針ピンからなる針抜き編成突起部を追加すれば良い。この場合、ラインを増やさずに追加した針抜き編成突起部の分だけ漸増編成突起部を減らしても良いし、選針ドラムの径を大きくしてラインを増やすことで対応しても良い。その他、選針ピンの配置は図１のままとして、選針ドラムを逆回転させて２番ラインの選針ピンで２回目のＳ２の編成を行った後、選針ドラムを順回転させて３番ラインの選針ピンで２回目のＳ３の編成を行っても良い。
【００３４】
また、指袋における針抜き編成部を形成するにあたり、編目列における隣接する編目の間隔を大きくしても良い。例えば、２針置きの編針が選針されるように針抜き編成突起部を構成することが挙げられる。その際、１回目の針抜き編成で選針されなかった編針を２回目以降の針抜き編成で選針することが好ましい。例えば、２回目の針抜き編成で１回目の針抜き編成で選針されなかった編針を全て選針する。あるいは、１回目の針抜き編成で選針されなかった編針の一部を２回目の針抜き編成で選針し、残りを３回目の針抜き編成で選針する。
【００３５】
また、選針ドラムは、選針ドラムの周方向に伸びる嵌合溝に、概略円弧状のカムプレートを嵌め込み、選針ドラムから突出するカムプレートのカム部分で選針を行う構成であっても良い（例えば、特許文献２を参照）。この場合、複数のカムプレートにそれぞれ備わるカム部分のうち、選針ドラムの軸方向に並ぶカム部分の集合体が、本発明における各突起部に相当する。その他、突起部を選針ドラムと一体に加工しても良い。
【００３６】
なお、本発明は、上述した実施形態に限定されるわけではなく、本発明の要旨を逸脱しない範囲で適宜変更可能である。例えば、各指袋について、編幅を増やす割合を変更しても良い。また、編成する編地は、一端が閉口し、他端が開口する筒状編成部を備えるものであれば良く、例えば、先丸の靴下や５本指の靴下、巾着袋のようなものであっても良い。
【図面の簡単な説明】
【００３７】
【図１】実施形態に示す横編機に備わる選針ドラムの展開図である。
【図２】図１の選針ドラムを使用して編成される手袋の小指指袋についての編成工程図である。
【図３】従来の横編機に備わる選針ドラムの展開図である。
【図１】
2010133070.tif 000003
【図２】
2010133070.tif 000004
【図３】
2010133070.tif 000005